(57)【要約】【課題】通信を確立する前に、受信装置において出力されると予測される画像をプレビュー表示する。【解決手段】生成手段１１は、指定された宛先に原稿をファクシミリ送信する指示を受けると、その宛先への発呼前に、記憶手段１０においてこの宛先と対応して記憶されている画像形成パラメータ、およびこの指示に含まれる画像形成パラメータから、プレビュー画像用の画像形成パラメータを生成する。生成手段１１は、この画像形成パラメータを用いて、プレビュー画像を生成する。プレビュー画像は、ファクシミリ受信装置において出力されることが予測される画像である。表示手段１３は、文字および画像を表示する。表示制御手段１４は、生成手段１１により生成されたパラメータを用いて生成されたプレビュー画像を、表示手段１３に表示させる。【選択図】図１
2015005855.tif 000002
【特許請求の範囲】
【請求項１】
ファクシミリの宛先および当該宛先のファクシミリ受信装置における画像形成のパラメータを記憶する記憶手段と、
指定された宛先に原稿をファクシミリ送信する指示であって前記画像形成のパラメータを含む指示を受けると、当該宛先への発呼前に、前記記憶手段において当該宛先と対応して記憶されているパラメータ、および前記指示に含まれるパラメータから、プレビュー画像用のパラメータを生成する生成手段と、
前記生成手段により生成されたパラメータを用いて生成されたプレビュー画像を、表示手段に表示させる表示制御手段と
を有する情報処理装置。
【請求項２】
前記表示制御手段は、前記記憶手段に記憶されているパラメータおよび前記生成手段により生成されたパラメータに基づいて、前記宛先のファクシミリ受信装置において形成される前記原稿に対応する画像の画質の劣化を防ぐヒントを前記表示手段に表示させる
ことを特徴とする請求項１に記載の情報処理装置。
【請求項３】
前記表示制御手段は、前記ファクシミリ送信される原稿のデータ量がしきい値を超えた場合に、前記ヒントを前記表示手段に表示させる
ことを特徴とする請求項２に記載の情報処理装置。
【請求項４】
前記表示制御手段は、前記ヒントに応じて、前記パラメータの変更を受け付けるユーザインターフェースを前記表示手段に表示させ、前記ユーザインターフェースを介して入力されたパラメータを用いて生成された新たなプレビュー画像を前記表示手段に表示させる
ことを特徴とする請求項２または３に記載の情報処理装置。
【請求項５】
前記原稿を読み取ってデータ化する読み取り手段を有し、
前記読み取り手段は、最大解像度で読み取りを行い、
前記表示制御手段は、前記ユーザインターフェースを介してパラメータが入力されても前記原稿を再度読み取らずに生成された前記新たなプレビュー画像を前記表示手段に表示させる
ことを特徴とする請求項４に記載の情報処理装置。
【請求項６】
前記宛先に発呼して当該宛先のファクシミリ受信装置と通信を確立した後、当該ファクシミリ受信装置における画像形成のパラメータを取得する取得手段と、
前記取得手段により取得されたパラメータが前記記憶手段に記憶されているパラメータと異なっていた場合、前記取得手段により取得されたパラメータを用いて、前記記憶手段に記憶されているパラメータを更新する更新手段と
を有する請求項１ないし５のいずれか一項に記載の情報処理装置。
【請求項７】
前記更新手段により更新されたパラメータを用いて、画質の劣化を防ぐヒントを作成する作成手段と、
前記作成手段により作成されたヒントを出力する出力手段と
を有する請求項６に記載の情報処理装置。
【請求項８】
請求項１ないし７のいずれか一項に記載の情報処理装置と、
前記原稿をファクシミリ送信する送信手段と
を有するファクシミリ送信装置。
【請求項９】
ファクシミリの宛先および当該宛先のファクシミリ受信装置における画像形成のパラメータを記憶する記憶手段を有するコンピュータに、
指定された宛先に原稿をファクシミリ送信する指示であって前記画像形成のパラメータを含む指示を受けると、当該宛先への発呼前に、前記記憶手段において当該宛先と対応して記憶されているパラメータ、および前記指示に含まれるパラメータから、プレビュー画像用のパラメータを生成するステップと、
前記生成されたパラメータを用いて生成されたプレビュー画像を、表示手段に表示させるステップと
を実行させるためのプログラム。
【発明の詳細な説明】
【技術分野】
【０００１】
本発明は、情報処理装置、ファクシミリ送信装置およびプログラムに関する。
【背景技術】
【０００２】
ファクシミリ装置の機能（性能）は、装置毎に異なっている。したがって、ファクシミリ通信においては、画像データの通信に先立って、両者の機能を示す情報が交換され、通信に用いるパラメータ（例えば、通信速度、エラー訂正機能、およびデータ圧縮手順に関するパラメータ）が決定される。ここで、受信装置の機能によっては、送信装置のユーザが意図しない画像変換が行われてしまう場合があった。これに対し特許文献１は、通信が確立した後で、受信装置において出力されると予測される画像をプレビュー表示する技術を開示している。
【先行技術文献】
【特許文献】
【０００３】
【特許文献１】特開２００８−２９４８７９号公報
【発明の概要】
【発明が解決しようとする課題】
【０００４】
本発明は、通信を確立する前に、受信装置において出力されると予測される画像をプレビュー表示する技術を提供する。
【課題を解決するための手段】
【０００５】
本発明は、ファクシミリの宛先および当該宛先のファクシミリ受信装置における画像形成のパラメータを記憶する記憶手段と、指定された宛先に原稿をファクシミリ送信する指示であって前記画像形成のパラメータを含む指示を受けると、当該宛先への発呼前に、前記記憶手段において当該宛先と対応して記憶されているパラメータ、および前記指示に含まれるパラメータから、プレビュー画像用のパラメータを生成する生成手段と、前記生成手段により生成されたパラメータを用いて生成されたプレビュー画像を、表示手段に表示させる表示制御手段とを有する情報処理装置を提供する。
【０００６】
前記表示制御手段は、前記記憶手段に記憶されているパラメータおよび前記生成手段により生成されたパラメータに基づいて、前記宛先のファクシミリ受信装置において形成される前記原稿に対応する画像の画質の劣化を防ぐヒントを前記表示手段に表示させてもよい。
【０００７】
前記表示制御手段は、前記ファクシミリ送信される原稿のデータ量がしきい値を超えた場合に、前記ヒントを前記表示手段に表示させてもよい。
【０００８】
前記表示制御手段は、前記ヒントに応じて、前記パラメータの変更を受け付けるユーザインターフェースを前記表示手段に表示させ、前記ユーザインターフェースを介して入力されたパラメータを用いて生成された新たなプレビュー画像を前記表示手段に表示させてもよい。
【０００９】
この情報処理装置は、前記原稿を読み取ってデータ化する読み取り手段を有し、前記読み取り手段は、最大解像度で読み取りを行い、前記表示制御手段は、前記ユーザインターフェースを介してパラメータが入力されても前記原稿を再度読み取らずに生成された前記新たなプレビュー画像を前記表示手段に表示させてもよい。
【００１０】
この情報処理装置は、前記宛先に発呼して当該宛先のファクシミリ受信装置と通信を確立した後、当該ファクシミリ受信装置における画像形成のパラメータを取得する取得手段と、前記取得手段により取得されたパラメータが前記記憶手段に記憶されているパラメータと異なっていた場合、前記取得手段により取得されたパラメータを用いて、前記記憶手段に記憶されているパラメータを更新する更新手段とを有してもよい。
【００１１】
この情報処理装置は、前記更新手段により更新されたパラメータを用いて、画質の劣化を防ぐヒントを作成する作成手段と、前記作成手段により作成されたヒントを出力する出力手段とを有してもよい。
【００１２】
また、本発明は、上記いずれかの情報処理装置と、前記原稿をファクシミリ送信する送信手段とを有するファクシミリ送信装置を提供する。
【００１３】
さらに、本発明は、ファクシミリの宛先および当該宛先のファクシミリ受信装置における画像形成のパラメータを記憶する記憶手段を有するコンピュータに、指定された宛先に原稿をファクシミリ送信する指示であって前記画像形成のパラメータを含む指示を受けると、当該宛先への発呼前に、前記記憶手段において当該宛先と対応して記憶されているパラメータ、および前記指示に含まれるパラメータから、プレビュー画像用のパラメータを生成するステップと、前記生成されたパラメータを用いて生成されたプレビュー画像を、表示手段に表示させるステップとを実行させるためのプログラムを提供する。
【発明の効果】
【００１４】
請求項１、８、および９に係る発明によれば、ユーザは、通信が確立される前に、受信装置において出力されると予測される画像を確認することができる。
請求項２に係る発明によれば、ユーザは、画質の劣化を防ぐヒントを得ることができる。
請求項３に係る発明によれば、ユーザは、原稿のデータ量が多い場合に、画質の劣化を防ぐヒントを得ることができる。
請求項４に係る発明によれば、ユーザは、パラメータを指定しなおすことができる。
請求項５に係る発明によれば、原稿を再度読み取る処理を省略することができる。
請求項６に係る発明によれば、パラメータを最新の状態に更新することができる。
請求項７に係る発明によれば、ユーザは、更新後のパラメータに応じて、画質の劣化を防ぐヒントを得ることができる。
【図面の簡単な説明】
【００１５】
【図１】一実施形態に係るファクシミリ装置１の機能構成を示す図。
【図２】ファクシミリ装置１のハードウェア構成を例示する図。
【図３】ファクシミリ装置１の動作を示すフローチャート。
【図４】宛先一覧のデータ構造を例示する図。
【図５】事前ネゴシエーションテーブルを例示する図。
【図６】ヒント生成処理の詳細を示すフローチャート。
【図７】しきい値テーブルを例示する図。
【図８】プレビュー画面を例示する図。
【図９】プレビュー画面の別の例を示す図。
【図１０】プレビュー画面の別の例を示す図。
【図１１】プレビュー画面の別の例を示す図。
【図１２】プレビュー画面の別の例を示す図。
【発明を実施するための形態】
【００１６】
１．構成
図１は、一実施形態に係るファクシミリ装置１の機能構成を示す図である。ここでは、ファクシミリ送信装置としての機能のみを図示している。ファクシミリ装置１は、記憶手段１０と、生成手段１１と、表示手段１３と、表示制御手段１４と、読み取り手段１５と、取得手段１６と、更新手段１７と、作成手段１８と、出力手段１９と、送信手段２０とを有する。
【００１７】
記憶手段１０は、データベースを記憶している。このデータベースは、ファクシミリの宛先およびその宛先のファクシミリ受信装置における画像形成のパラメータ（以下「画像形成パラメータ」という）を、宛先毎に記憶している。生成手段１１は、指定された宛先に原稿をファクシミリ送信する指示（この指示は画像形成パラメータを含んでいる）を受けると、その宛先への発呼前に、記憶手段１０においてこの宛先と対応して記憶されている画像形成パラメータ、およびこの指示に含まれる画像形成パラメータから、プレビュー画像用の画像形成パラメータを生成する。生成手段１１は、この画像形成パラメータを用いて、プレビュー画像を生成する。プレビュー画像は、ファクシミリ受信装置において出力されることが予測される画像である。表示手段１３は、文字および画像を表示する。表示制御手段１４は、生成手段１１により生成されたパラメータを用いて生成されたプレビュー画像を、表示手段１３に表示させる。
【００１８】
表示制御手段１４は、さらに、記憶手段１０に記憶されているパラメータおよび生成手段１１により生成されたパラメータに基づいて、宛先のファクシミリ受信装置において形成される画像の画質の劣化を防ぐヒントを表示手段１３に表示させる。また、表示制御手段１４は、ヒントに応じて、パラメータの変更を受け付けるユーザインターフェースを表示手段１３に表示させ、ユーザインターフェースを介して入力されたパラメータを用いて生成された新たなプレビュー画像を表示手段１３に表示させる。
【００１９】
読み取り手段１５は、原稿を読み取ってデータ化する。この例において、読み取り手段１５は、自身の最大解像度で読み取りを行う。表示制御手段１４は、ユーザインターフェースを介してパラメータが入力されても原稿を再度読み取らずに生成された新たなプレビュー画像を表示手段１３に表示させる。
【００２０】
取得手段１６は、宛先に発呼してその宛先のファクシミリ受信装置と通信を確立した後、ファクシミリ受信装置における画像形成のパラメータを取得する。更新手段１７は、取得手段１６により取得されたパラメータが記憶手段１０に記憶されているパラメータと異なっていた場合、記憶手段１０に記憶されているパラメータを更新する。
【００２１】
作成手段１８は、更新手段１７により更新されたパラメータを用いて、画質の劣化を防ぐヒントを作成する。出力手段１９は、作成手段１８により作成されたヒントを出力する。送信手段２０は、原稿をファクシミリ送信する。
【００２２】
図２は、ファクシミリ装置１のハードウェア構成を例示する図である。ファクシミリ装置１は、制御部１１０と、画像記憶部１２０と、画像読み取り部１３０と、画像形成部１４０と、ＵＩ（User Interface）部１５０と、情報記憶部１６０と、ＦＡＸ通信部１７０とを有する。制御部１１０は、ファクシミリ装置１の各部の制御を行う。制御部１１０は、例えば、マイクロプロセッサを有する。画像記憶部１２０は、画像読み取り部１３０により読み取られた画像、または他の装置から受信した画像を示す画像データを記憶する。画像記憶部１２０は、例えば、半導体メモリ、ＨＤＤ（Hard Disk Drive）等の記憶装置を有する。画像読み取り部１３０は、原稿を読み取ってデータ化する。画像読み取り部１３０は、例えば、原稿を光学的に読み取るための読み取り装置（イメージスキャナ）を有する。画像形成部１４０は、紙等の記録媒体上に画像を形成する。画像形成部１４０は、例えば電子写真方式の画像形成装置を有する。ＵＩ部１５０は、ユーザに情報を提示し、またユーザからの指示を受け付ける。ＵＩ部１５０は、例えば、タッチスクリーンおよびキーパッド等の入出力装置を有する。情報記憶部１６０は、制御部１１０の処理に用いられる情報、例えば、宛先の一覧を記録したテーブルを記憶する。情報記憶部１６０は、半導体メモリ、ＨＤＤ等の記憶装置を有する。ＦＡＸ通信部１７０は、音声通信回線（例えば、ＰＳＴＮ（Public Switched Telephone Network）、ＩＳＤＮ（Integrated Services Digital Network）等）の通信網を介してファクシミリ通信を行う。ＦＡＸ通信部１７０は、例えばモデム等の通信装置を有する。ファクシミリ装置１は、制御部１１０および情報記憶部１６０を有する情報処理装置（コンピュータ）である。
【００２３】
ファクシミリ装置１は、図１の機能を実装するためのプログラムを記憶しており、制御部１１０がこのプログラムを実行することにより、図１の機能が実装される。この例で、情報記憶部１６０は、記憶手段１０の一例である。制御部１１０は、生成手段１１、表示制御手段１４、取得手段１６、更新手段１７、および作成手段１８の一例である。ＵＩ部１５０は、表示手段１３の一例である。画像読み取り部１３０は、読み取り手段１５の一例である。ＵＩ部１５０または画像形成部１４０は、出力手段１９の一例である。ＦＡＸ通信部１７０は、送信手段２０の一例である。
【００２４】
２．動作
図３は、ファクシミリ装置１の動作を示すフローチャートである。図３のフローは、例えば、ファクシミリ装置１の電源が投入されたことを契機として開始される。
【００２５】
ステップＳ１０１において、ＵＩ部１５０は、ファクシミリ送信の指示を受け付ける。ファクシミリ送信の指示には、宛先の指定および画像形成パラメータの値の指定が含まれる。宛先の指定は、例えば、情報記憶部１６０に記憶されている宛先一覧（アドレス帳）の中から、ユーザが一の宛先を指定することにより行われる。
【００２６】
図４は、宛先一覧のデータ構造を例示する図である。宛先一覧は、宛先毎に、宛先の識別番号、名前、電話番号、および画像形成パラメータを含んでいる。なお、宛先一覧において、画像形成パラメータが記録されていない宛先があってもよい。
【００２７】
再び図３を参照する。ステップＳ１０２において、制御部１１０は、宛先一覧において、指定された宛先に対応する画像形成パラメータが記録されているか判断する。画像形成パラメータが記録されていると判断された場合（Ｓ１０２：ＹＥＳ）、制御部１１０は、処理をステップＳ１０３に移行する。画像形成パラメータが記録されていないと判断された場合（Ｓ１０２：ＮＯ）、制御部１１０は、処理をステップＳ１０４に移行する。
【００２８】
ステップＳ１０３において、制御部１１０は、プレビュー画像の生成に用いられる画像形成パラメータ（以下「プレビュー画像用の画像形成パラメータ」という）を決定する。プレビュー画像とは、ファクシミリ送信前に、送信される原稿を確認するためＵＩ部１５０に表示される画像である。この例で、制御部１１０は、事前ネゴシエーションにより、プレビュー画像用の画像形成パラメータを決定する。事前ネゴシエーションとは、指定された宛先のファクシミリ受信装置への発呼前に行われる擬似的なネゴシエーションである。ネゴシエーションとは、ファクシミリ送信装置とファクシミリ受信装置との間で、ファクシミリ通信に用いられるパラメータを決定する処理である。ここで決定されるパラメータには、画像形成パラメータが含まれる。この例で、事前ネゴシエーションは、事前ネゴシエーションテーブルを参照して行われる。事前ネゴシエーションテーブルは、例えば、情報記憶部１６０に記憶されている。
【００２９】
図５は、事前ネゴシエーションテーブルを例示する図である。事前ネゴシエーションテーブルは、ファクシミリ受信装置の能力に対応するプレビュー画像用の画像形成パラメータを含んでいる。この例で、画像形成パラメータは、解像度および用紙サイズを含む。解像度は、送信される画像の解像度を示す。用紙サイズは、ファクシミリ受信装置において画像形成が行われる記録媒体の大きさを示す。この例で、ファクシミリ受信装置の能力の項における「○」は、ファクシミリ受信装置が、ファクシミリ送信装置から指定された能力を有していることを、「×」は、ファクシミリ受信装置が、ファクシミリ送信装置から指定された能力を有していないことを、「−」は、ファクシミリ受信装置の能力が不明であること、それぞれを示している。また、プレビュー画像用の画像形成パラメータの項における「送信装置のパラメータ」は、ファクシミリ送信装置において指定された値が用いられることを、「受信装置のパラメータ」はファクシミリ受信装置において指定された値が用いられることを、それぞれ示している。
【００３０】
例えば、ファクシミリ送信装置において指定された解像度および指示サイズに相当する能力をファクシミリ受信装置が有していた場合、プレビュー画像用の画像形成パラメータとして、ファクシミリ送信装置において指定された解像度および用紙サイズに相当する値を用いることが決定される。別の例で、ファクシミリ受信装置が、ファクシミリ送信装置において指定された解像度に相当する能力は有しているが指定された指示サイズに相当する能力を有していない場合、レビュー画像用の画像形成パラメータとして、ファクシミリ送信装置において指定された解像度およびファクシミリ受信装置の用紙サイズに相当する値を用いることが決定される。なお、「指示サイズ」とはファクシミリ送信装置において読み取られた画像のサイズをいい、「用紙サイズ」とはファクシミリ受信装置の受信能力に相当する画像のサイズをいう。
【００３１】
再び図３を参照する。ステップＳ１０４において、制御部１１０は、プレビュー画像用の画像形成パラメータとして、ファクシミリ送信装置において指定された値（ステップＳ１０１において受け付けられた指示に含まれている値）を用いることを決定する。
【００３２】
ステップＳ１０５において、制御部１１０は、プレビュー画像を生成する。具体的には、まず、制御部１１０は、原稿を読み取ってデータ化するように、画像読み取り部１３０を制御する。この例では、このとき、制御部１１０は、画像形成パラメータとして指定された解像度によらず、最大解像度で原稿を読み取らせる。最大解像度とは、画像読み取り部１３０が有する能力として最高の解像度である。画像読み取り部１３０は、読み取った原稿の画像データを、画像記憶部１２０に記憶する。制御部１１０は、ステップＳ１０３またはＳ１０４で決定された画像形成パラメータの値を用いて、画像記憶部１２０に記憶されている原稿の画像データから、プレビュー画像を生成する。具体的には、制御部１１０は、ステップＳ１０３またはＳ１０４で決定された解像度に応じた解像度を有し、かつ、ステップＳ１０３またはＳ１０４で決定された用紙サイズに応じた大きさを有するプレビュー画像を生成する。制御部１１０は、生成したプレビュー画像の画像データを情報記憶部１６０に記憶する。
【００３３】
ステップＳ１０６において、制御部１１０は、ヒントを生成する。ヒントとは、ファクシミリ受信装置において出力される画像の画質を向上させるための情報である。
【００３４】
図６は、ステップＳ１０６におけるヒント生成処理の詳細を示すフローチャートである。ステップＳ２０１において、制御部１１０は、原稿が、データ量の多いページを含んでいるか判断する。この例で、「データ量の多い」ページは、原稿サイズおよび解像度の組み合わせに応じて定義されている。この定義は、しきい値テーブルに記録されている。しきい値テーブルは、例えば、情報記憶部１６０に記憶されている。
【００３５】
図７は、しきい値テーブルを例示する図である。このテーブルには、このデータ量を超えるとデータ量が「多い」と判断されるしきい値が記録されている。なお、この表においてデータ量の単位はバイトである。また、この表は、Ａ４の標準（解像度２００×１００）時に送信ブロックが１以上（６５５３６バイトに相当）であった場合にデータ量が多いと判断するという基準に基づいて作成されているが、しきい値の基準はこれに限定されない。
【００３６】
再び図６を参照する。原稿がデータ量の多いページを含んでいると判断された場合（Ｓ２０１：ＹＥＳ）、制御部１１０は、処理をステップＳ２０２に移行する。原稿がデータ量の多いページを含んでいないと判断された場合（Ｓ２０１：ＮＯ）、制御部１１０は、処理をステップＳ２０５に移行する。
【００３７】
ステップＳ２０２において、制御部１１０は、ファクシミリ送信装置において指定された解像度ＩndResoが、ファクシミリ受信装置の解像度ＯppReso以上であるか、すなわち、ＩndReso≧ＯppResoであるか判断する。ＩndReso≧ＯppResoであると判断された場合（Ｓ２０２：ＹＥＳ）、制御部１１０は、処理をステップＳ２０４に移行する。ＩndReso＜ＯppResoであると判断された場合（Ｓ２０２：ＮＯ）、制御部１１０は、処理をステップＳ２０３に移行する。ファクシミリ受信装置の能力が不明である場合、すなわち宛先一覧に画像形成パラメータが記録されていない場合（Ｓ２０２：Ｚ）、制御部１１０は、処理をステップＳ２０８に移行する。
【００３８】
ステップＳ２０３において、制御部１１０は、ファクシミリ送信装置において指定された解像度ＩndSizeが、ファクシミリ受信装置の解像度ＯppSizeより大きいか、すなわち、ＩndSize＞ＯppSizeであるか判断する。ＩndSize＞ＯppSizeであると判断された場合（Ｓ２０３：ＹＥＳ）、制御部１１０は、処理をステップＳ２０７に移行する。ＩndSize≦ＯppSizeであると判断された場合（Ｓ２０３：ＮＯ）、制御部１１０は、処理をステップＳ２０６に移行する。
【００３９】
ステップＳ２０４において、制御部１１０は、ファクシミリ送信装置において指定された解像度ＩndSizeが、ファクシミリ受信装置の解像度ＯppSize以上であるか、すなわち、ＩndSize≧ＯppSizeであるか判断する。ＩndSize≧ＯppSizeであると判断された場合（Ｓ２０４：ＹＥＳ）、制御部１１０は、処理をステップＳ２１０に移行する。ＩndSize＜ＯppSizeであると判断された場合（Ｓ２０４：ＮＯ）、制御部１１０は、処理をステップＳ２０９に移行する。
【００４０】
ステップＳ２０５において、制御部１１０は、ヒントを生成しない（または空のヒントを生成する）。
【００４１】
ステップＳ２０６において、制御部１１０は、解像度を上げることを促すヒントを生成する。このヒントは、例えば、「もっと解像度を上げられます」という文字列を含む。別の例で、このヒントは、「４００×４００ｄｐｉまで解像度を上げられます」というように、ファクシミリ受信装置の最大解像度を示す文字列を含んでもよい。
【００４２】
ステップＳ２０７において、制御部１１０は、解像度を上げることを促すヒント、および指示サイズの変更を促すヒントを生成する。制御部１１０は、指示サイズの変更を促すヒントに代えて、または加えて、ページの分割を促すヒントを生成してもよい。指示サイズの変更を促すヒントは、例えば、「縮小を回避するためにはＡ４サイズでの分割読み込みをお試しください。また、４００×４００ｄｐｉまで解像度を上げられます」というように、ファクシミリ受信装置の最大用紙サイズを示す文字列を含んでもよい。
【００４３】
ステップＳ２０８において、制御部１１０は、ヒントは作成せず、プレビュー画像を生成できないこと、および送信者の意図どおりの画像が送信されない可能性があること示す警告を生成する。
【００４４】
ステップＳ２０９において、制御部１１０は、指示サイズの変更（画像の拡大）を促すヒントを生成する。指示サイズの変更を促すヒントは、例えば、「Ａ３サイズ（１４１％）まで拡大できます。」というように、ファクシミリ受信装置の最大用紙サイズを示す文字列を含んでもよい。
【００４５】
ステップＳ２１０において、制御部１１０は、指示サイズの変更（画像の拡大）を促すヒント、およびページの分割を促すヒントを生成する。
【００４６】
再び図３を参照する。ステップＳ１０７において、制御部１１０は、生成したプレビュー画像およびヒント（または警告）を表示するように、ＵＩ部１５０を制御する。
【００４７】
図８は、プレビュー画面を例示する図である。図８は、ヒントが生成されない場合（ステップＳ２０５）のプレビュー画面を示している。プレビュー画面は、プレビュー画像および関連する情報を含んでいる。関連する情報は、例えば、ファクシミリ送信装置において指示されたパラメータ、および仮想ネゴシエーションの結果として得られるパラメータの表示を含んでいる。この例では、ファクシミリ送信装置において指示されたパラメータは、解像度２００×１００、指示サイズＡ４である。情報記憶部１６０に記憶されている、ファクシミリ受信装置のパラメータは、解像度６００×６００、用紙サイズＡ３である。解像度および指示サイズが共にファクシミリ受信装置の能力の範囲内であるので、ファクシミリ送信装置において指示されたパラメータで画像が出力されることが予想される。また、この例ではデータ量がしきい値より少ないのでヒントは生成されない。
【００４８】
なお、ここで表示されるプレビュー画像の解像度は、ＵＩ部１５０における表示装置（例えば液晶ディスプレイ）のサイズおよび解像度に依存している。表示装置のサイズが小さく、プレビュー画像がサムネイル画像である場合には、プレビュー画像自体の画質が低いのか、表示装置の解像度が低いせいで画質が低く見えているのか判断できない。これに対処するため、制御部１１０は、例えば、ユーザの指示に応じて、プレビュー画像の一部を、出力される解像度相当に拡大して表示してもよい。
【００４９】
また、プレビュー画面は、パラメータの変更をするためのボタン（「パラメータを変更」と記載されたボタン）およびファクシミリ送信を指示するためのボタン（「このまま送信」というボタン）を含んでいる。
【００５０】
図９は、プレビュー画面の別の例を示す図である。図９は、ステップＳ２０７において生成されたヒントが含まれるプレビュー画面を示している。この例では、ファクシミリ送信装置において指示されたパラメータは、解像度２００×１００、指示サイズＡ３である。情報記憶部１６０に記憶されている、ファクシミリ受信装置のパラメータは、解像度４００×４００、用紙サイズＡ４である。解像度はファクシミリ受信装置の能力の範囲内であるが、指示サイズはファクシミリ受信装置の能力を超えている。なおファクシミリ受信装置の用紙サイズがファクシミリ送信装置において指示された指示サイズよりも低いため、Ａ４に縮小して送信する可能性があり、そのようなプレビュー画像が表示される。ここでは、解像度を上げることを促すヒントおよび指示サイズの変更を促すヒント、この例では「視認性が悪い場合は解像度アップ、サイズを変更したくない場合は併せて分割送信をお試しください。」というヒントが表示される。
【００５１】
図１０は、プレビュー画面の別の例を示す図である。図１０は、ステップＳ２０７において生成されたヒントが含まれるプレビュー画面を示している。この例では、ファクシミリ送信装置において指示されたパラメータは、解像度２００×１００、指示サイズＡ３である。情報記憶部１６０に記憶されている、ファクシミリ受信装置のパラメータは、解像度２００×１００、用紙サイズＡ４である。ここでは、画像の縮小および分割を促すヒント、この例では「Ａ４サイズ（７０％）まで縮小して送信してみてください、サイズを変更したくない場合は分割送信をお試しください。」というヒントが表示される。
【００５２】
図１１は、プレビュー画面の別の例を示す図である。図１１は、ステップＳ２０９において生成されたヒントが含まれるプレビュー画面を示している。この例では、ファクシミリ送信装置において指示されたパラメータは、解像度６００×６００、指示サイズＡ４である。情報記憶部１６０に記憶されている、ファクシミリ受信装置のパラメータは、解像度４００×４００、用紙サイズＡ３である。解像度はファクシミリ受信装置の能力を超えているが、指示サイズはファクシミリ受信装置の能力の範囲内である。プレビュー画像は、ファクシミリ受信装置の解像度で生成される。ここでは、指示サイズの変更を促すヒント、この例では「視認性が悪い場合は拡大して送信をお試しください。」というヒントが表示される。
【００５３】
図１２は、プレビュー画面の別の例を示す図である。図１２は、ステップＳ２１０において生成されたヒントが含まれるプレビュー画面を示している。この例では、ファクシミリ送信装置において指示されたパラメータは、解像度６００×６００、指示サイズＡ３である。情報記憶部１６０に記憶されている、ファクシミリ受信装置のパラメータは、解像度２００×１００、用紙サイズＡ４である。解像度および指示サイズは共にファクシミリ受信装置の能力を超えている。プレビュー画像は、ファクシミリ受信装置の解像度および指示サイズで生成される。既に説明したように、ユーザはプレビュー画像を拡大することができるので、例えば細かい文字の可読性が保たれているか（潰れていないか）を確認し、パラメータを変更してもよい。
【００５４】
再び図３を参照する。ステップＳ１０８において、制御部１１０は、送信の指示が入力されたか判断する。送信の指示は、例えば、図８等で例示した「このまま送信」のボタンが押下されることにより入力される。送信の指示が入力されたと判断された場合（Ｓ１０８：ＹＥＳ）、制御部１１０は、処理をステップＳ１０９に移行する。送信がキャンセルされた場合（Ｓ１０８：ＮＯ）、制御部１１０は、図３の処理を終了する。送信のキャンセルはＵＩ部１５０を介して入力される（図８等には送信キャンセルのボタンは例示していない）。
【００５５】
ステップＳ１０９において、制御部１１０は、ファクシミリ通信を行う。すなわち、指定されたファクシミリ受信装置とネゴシエーションをし、画像形成のパラメータを決定して、画像データを送信する。ステップＳ１１０において、制御部１１０は、ステップＳ１０９において取得した画像形成パラメータが、情報記憶部１６０に記憶されているものと異なるか判断する。ファクシミリ送信先において、ファクシミリ受信装置が新しいものに置き換えられた場合などに、画像形成パラメータが変更されることがある。画像形成パラメータが保存されているものと異なると判断された場合（Ｓ１１０：ＹＥＳ）、制御部１１０は、処理をステップＳ１１１に移行する。画像形成パラメータが保存されているものと同じであると判断された場合（Ｓ１１０：ＮＯ）、制御部１１０は、図３の処理を終了する。
【００５６】
ステップＳ１１１において、制御部１１０は、画像形成パラメータを上書き（更新）する。すなわち、制御部１１０は、ステップＳ１０９において取得した画像形成パラメータを、情報記憶部１６０に書き込む。ステップＳ１１２において、制御部１１０は、更新された画像形成パラメータに基づいて、ヒントを生成および出力する。ここでのヒントは、例えば図６のフローを用いて生成される。ヒントの出力は、例えば、ＵＩ部１５０を介して行われる（すなわち、表示装置にヒントが表示される）。あるいは、ヒントの出力は、用紙（記録媒体）に画像を形成することにより行われてもよい。この場合において、ファクシミリの送信レポートに併せてヒントが記載されてもよい。
【００５７】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００５８】
実施形態で説明した機能または処理の一部は省略されてもよい。例えば、ステップＳ１０６およびステップＳ１０７におけるヒントの生成および表示をする機能は省略されてもよい。あるいは、ステップＳ１１２におけるヒントを出力する機能は省略されてもよい。
本発明に係る情報処理装置は、実施形態で説明したファクシミリ装置１に限定されない。パーソナルコンピュータ、タブレット端末等、ファクシミリ装置以外の情報処理装置が、実施形態で説明した機能を有していてもよい。
【００５９】
実施形態において制御部１１０によって実行されるプログラムは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読取り可能な記録媒体に記憶した状態で提供されてもよい。また、このプログラムは、インターネットのようなネットワーク経由でダウンロードされてもよい。
【符号の説明】
【００６０】
１…ファクシミリ装置、１０…記憶手段、１１…生成手段、１２…生成手段、１３…表示手段、１４…表示制御手段、１５…読み取り手段、１６…取得手段、１７…更新手段、１８…作成手段、１９…出力手段、２０…送信手段、１１０…制御部、１２０…画像記憶部、１３０…画像読み取り部、１４０…画像形成部、１５０…ＵＩ部、１６０…情報記憶部、１７０…ＦＡＸ通信部
【図１】
2015005855.tif 000003
【図２】
2015005855.tif 000004
【図３】
2015005855.tif 000005
【図４】
2015005855.tif 000006
【図５】
2015005855.tif 000007
【図６】
2015005855.tif 000008
【図７】
2015005855.tif 000009
【図９】
2015005855.tif 000010
【図１０】
2015005855.tif 000011
【図１１】
2015005855.tif 000012
【図８】
2015005855.tif 000013
【図１２】
2015005855.tif 000014